(57)【要約】【課題】切れ味に優れた理髪用鋏の枢着部の構造を提供する。【解決手段】静刃となる刃体１に矩形孔３と、その上部に座繰り孔２１のエッジをテーパ状に面取りした面取り部２５をその軸心ｏ´が矩形孔３の軸心ｏに対し、刃先と反対側に角度θ傾斜させて形成する。動刃となる刃体４に回転可能に軸支される枢軸１５は、矩形部８を有し、該矩形部８が上記矩形孔３に嵌合することにより、刃体１が枢軸１５に対し廻り止めされる。ダイヤル状のナット１２には、逆台形部１８とネジ１９が設けられ、ネジ１９を矩形部８に捩じ込むと、逆台形部１８のテーパがテーパ状の面取り部２５に係合し、これにより枢軸１５を傾斜させて両刃体１及び４の刃先を互いに押し付ける。【選択図】図３
2007325690.tif 000002
【特許請求の範囲】
【請求項１】
静刃となる刃体と、動刃となる刃体を枢軸により開閉可能に軸着した理髪用鋏の枢着部の構造であって、枢軸は多角形の廻り止め部を有して、該廻り止め部が静刃となる刃体に嵌合することにより静刃となる刃体との廻り止めを行い、動刃となる刃体とは回転可能に軸支され、静刃となる刃体側の枢軸自由端部にナットを捩じ込むことにより、前記両刃体が開閉可能に軸着される枢着部の構造において、前記ナットは断面台形部を有して該台形部のテーパが静刃となる刃体の座繰り孔のエッジ又は該エッジを面取りした面取り部に係合することを特徴とする枢着部の構造。
【請求項２】
前記面取り部は、その軸心が座繰り孔の軸心に対し、刃先と反対側の方向に向けて傾斜するように形成されることを特徴とする請求項１記載の枢着部の構造。
【請求項３】
前記面取り部は、その軸心が座繰り孔の軸心に対し、刃と反対側の方向に向けて傾斜するように形成されることを特徴とする請求項１記載の枢着部の構造。
【請求項４】
前記面取り部は、その軸心が座繰り孔の軸心に対し、刃先及び刃と反対側の方向に向けて傾斜するように形成されることを特徴とする請求項１記載の枢着部の構造。
【発明の詳細な説明】
【技術分野】
【０００１】
本発明は、理容院や美容院等で用いられ、一対の刃体を枢軸により開閉可能に軸着した理髪用鋏の枢着部の構造に関する。
【背景技術】
【０００２】
図１は、従来の理髪用鋏の枢着部の代表的な例を示すもので、一対の刃体のうち、静刃となる刃体１には、ドリルで開けた座繰り孔２にプレスのパンチダイスで矩形の孔３があけられる一方、開閉操作される動刃となる刃体４には、断面略逆椀形状の座繰り孔５が形成され、両刃体１及び５を軸着する枢軸６は、段付きボルト状で、座繰り孔５に装着される断面略逆椀形状の頭部７と、矩形孔３に嵌合して刃体１が枢軸６に対し回り止めされる矩形部８と、先端のネジ部９を有し、刃体１より突出するネジ部９に皿バネ１１を介してダイヤル状のナット１２が捩じ込まれ、該ナット１２の捩じ込みにより両刃体１及び４が枢軸６によって回動可能に軸着された構造をなしている。
【発明の開示】
【発明が解決しようとする課題】
【０００３】
図１に示す枢着部の構造において、動刃となる刃体４の座繰り孔５に装着される枢軸頭部７についてもそうであるが、枢軸６の矩形部８は組付け上の問題から静刃となる刃体１の矩形孔３に若干の遊びを存して嵌合されているのが常である。前者の枢軸頭部７は、ナット１２の締め込みにより頭部７の断面台形部のテーパが座繰り孔５の断面台形部のテーパに圧着することにより、枢軸６に対し刃体４が開閉操作中、図の横向きにずれたり、傾くことはないが、刃体１の場合、遊びによって刃体１が枢軸６に対し、図の横方向にずれたり、傾いたりしがちで、傾くと、とくに刃体１の刃先が刃体４の刃先より開いたり、刃体１の刃が刃体４の刃より浮いて切れ味を損なうようになる。
【０００４】
本発明は、上記の問題を解消することを目的としてなされたもので、切れ味に優れた理髪用鋏の枢着部の構造を提供しようとするものである。
【課題を解決するための手段】
【０００５】
請求項１に係わる発明は、静刃となる刃体と、動刃となる刃体を枢軸により開閉可能に軸着した理髪用鋏の枢着部の構造であって、枢軸は多角形の廻り止め部を有して、該廻り止め部が静刃となる刃体に嵌合することにより静刃となる刃体との廻り止めを行い、動刃となる刃体とは回転可能に軸支され、静刃となる刃体側の枢軸自由端部にナットを捩じ込むことにより、前記両刃体が開閉可能に軸着される枢着部の構造において、前記ナットは断面台形部を有して該台形部のテーパが静刃となる刃体の座繰り孔のエッジ又は該エッジを面取りした面取り部に係合することを特徴とする。
【０００６】
本発明における枢軸自由端へのナットの捩じ込みは、枢軸自由端部にネジを刻設し、該ネジにナットを捩じ込むか、或いはナットにネジを突設し、該ネジを枢軸自由端部に捩じ込むことにより行われる。
また、面取り部は円弧状であってもよいが、好ましくはテーパ状とされる。
【０００７】
請求項２に係わる発明は、請求項１に係わる発明において、前記面取り部は、その軸心が座繰り孔の軸心に対し、刃先と反対側の方向に向けて傾斜するように形成されることを特徴とし、
請求項３に係わる発明は、請求項１に係わる発明において、前記面取り部は、その軸心が座繰り孔の軸心に対し、刃と反対側の方向に向けて傾斜するように形成されることを特徴とする。
【０００８】
また請求項４に係わる発明は、請求項１に係わる発明において、前記面取り部は、その軸心が座繰り孔の軸心に対し、刃先及び刃と反対側の方向に向けて傾斜するように形成されることを特徴とする。
【発明の効果】
【０００９】
請求項１に係わる発明の枢着部の構造によると、ナットの捩じ込みにより台形部のテーパが座繰り孔のエッジ又は面取り部に係合して静刃となる刃体の横ずれや傾きを防止し、これにより刃先がずれたり開いたりし、或いは静刃の刃が動刃の刃より浮くのが防止され、切れ味が損なわれることがない。
【００１０】
請求項２に係わる発明によると、動刃の刃先側が静刃の刃先側に押付けられるようになり、切れ味が向上する。
【００１１】
請求項３に係わる発明によると、動刃の刃が静刃の刃に押付けられるようになり、切れ味が向上する。
【００１２】
請求項４に係わる発明によると、動刃の刃先側が静刃の刃先側に、かつ動刃の刃が静刃の刃に押付けられるようになり、切れ味がより一層向上する。
【発明を実施するための最良の形態】
【００１３】
以下、本発明の理髪用鋏の枢着部の構造について図面により説明する。図中、図１に示す構造と同一構造部分には同一符号を付した。
【００１４】
図２に示す枢着部の構造は、枢軸１５の断面略逆椀形状をなす頭部７が動刃となる刃体４に形成される同断面形状の座繰り孔５に装着され、かつ矩形部８が静刃となる刃体１の矩形孔３に嵌合して刃体１と廻り止めされる点は、図１に示す枢着部の構造と変わりがない。図２に示す構造と異なる点は、刃体１に形成される矩形孔３上部の座繰り孔１６のエッジがテーパ状に面取りされた面取り部１７となり、またダイヤル状のナット１２の下部に逆台形部１８と、該逆台形部１８より突出するネジ１９を設け、該ネジ１８を枢軸上部の矩形部８に捩じ込んで締め込むことにより、逆台形部１８のテーパを前記面取り部１７に係合させるようになっていることである。
【００１５】
本実施形態の枢着部の構造によると、矩形部８は図示するように図１に示す従来の構造と同様、矩形孔３に若干の遊びを持たせて嵌合しているが、ナット１２の締め込みによりナット下部の逆台形部１８のテーパが面取り部１７に係合することにより、刃体１の横ずれはもちろん、枢軸１５に対する刃体１の傾きも防止され、傾きにより両刃体１及び４の刃先が開いたり、刃が浮くことも無く、良好な切れ味が維持される。
【００１６】
図３に示す枢着部の構造は、図２に示す枢着部の構造において、座繰り孔２１のエッジをテーパ状に面取りした面取り部２５の軸心ｏ´が矩形孔３の軸心ｏに対し、角度θだけ刃先と反対側（図３の右側）に傾斜するように面取り部２５を形成したものである。
【００１７】
本実施形態の枢着部の構造によると、枢軸１５の軸心が図示するように面取り部２５の軸心ｏ´と一致するように傾き、動刃の刃体４を刃先が上向く側に傾斜させる。そして静刃の刃体１の刃先に押付ける。これにより切れ味が向上する。
【００１８】
図３に示す実施形態では、面取り部２５の軸心ｏ´が矩形孔３の軸心ｏに対し、刃先と反対側に向けて傾斜し、枢軸１５を図の左右方向に傾斜させているが、別の実施形態では面取り部２５の軸心ｏ´が矩形孔３の軸心ｏに対し、刃と反対側、すなわち図３の紙面と直交する手前側に向けて傾斜するように面取り部２５が形成され、枢軸１５下部が奥側になるように傾いて刃体４の刃が刃体１の刃に押付けられるようにされる。これによって同じく刃の切れ味が向上する。
【００１９】
更に別の実施形態では、面取り部２５の軸心ｏ´が矩形孔３の軸心ｏに対し刃先と反対側及び刃と反対側の双方に向けて傾斜して形成される。これにより両刃体１及び４の刃先と刃が互いに押し付けられるようになり、切れ味がより一層向上する。
【００２０】
図２及び図３に示す実施形態では、ナット１２にネジ１９を突設して枢軸上部の矩形部８に捩じ込んで連結されているが、別の実施形態では、図１に示す従来構造と同様、枢軸上部の矩形部８より突設するネジ部にナットが捩じ込まれて連結される。図４は、この種の構造を示すもので、枢軸２０の矩形部２１より突出するネジ部２２に算盤玉状のナット２３を捩じ込んで刃体１及び４を開閉可能に連結している。
【図面の簡単な説明】
【００２１】
【図１】従来の枢着部の構造を示す断面図。
【図２】本発明に係わる枢着部の構造を示す断面図。
【図３】本発明に係わる枢着部の構造の別の態様を示す断面図。
【図４】本発明に係わる枢着部の構造の更に別の態様を示す断面図。
【符号の説明】
【００２２】
１・・静刃となる刃体
２、５、１６、２１・・座繰り孔
３・・矩形孔
４・・動刃となる刃体
６、１５、２０・・枢軸
７・・頭部
８、２１・・矩形部
９、２２・・ネジ部
１１・・皿バネ
１２・・ダイヤル状のナット
１７、２５・・面取り部
１８・・逆台形部
１９・・ネジ
２３・・算盤玉状のナット
【図１】
2007325690.tif 000003
【図２】
2007325690.tif 000004
【図３】
2007325690.tif 000005
【図４】
2007325690.tif 000006